(57)【特許請求の範囲】
【請求項１】
収納部の開閉扉の上縁部に水平方向に延設され、縦断面が前面に開口する略コ字状に形成されるとともに、内壁上部に手がかり部が形成されたライン取手に取り付けるタオル掛け具であって、
一端部側にタオル掛け部材が回動自在に設けられた取付部材と、当該取付部材の他端部側から突出するとともに、上記ライン取手内の上記手がかり部に挿入されて上記ライン取手の内壁に当接される支持部材と、略コ字状に屈曲して形成され一端部が上記取付部材の上部に着脱自在に挿入されるとともに、中間部が上記開閉扉の上面を跨いで他端部が上記開閉扉の背面に当接されることにより、上記開閉扉を間に挟む掛止部材と、その掛止部材の上記一端部を上記取付部材に固定するカバー部材とを備えていることを特徴とするタオル掛け具。
【請求項２】
上記支持部材は、上記取付部材に着脱自在に設けられているとともに、上記取付部材の上記上部から下部側に向けてスライド可能に設けられ、かつ上記ライン取手の長手方向の離間した少なくとも２箇所の上記内壁に当接されることを特徴とする請求項１に記載のタオル掛け具。
【請求項３】
上記取付部材の上記上部には、上記掛止部材の上記一端部を着脱自在に挿入する孔部が、上記取付部材の上記一端部側と上記他端部側との間に間隔を置いて複数穿設されていることを特徴とする請求項１または２に記載のタオル掛け具。
【発明の詳細な説明】
【技術分野】
【０００１】
本発明は、台所などの収納部の開閉扉に設けられたライン取手に取り付けるタオル掛け具に関するものである。
【背景技術】
【０００２】
一般に、タオル掛け具は、台所や洗面所などの水回りの壁面などに取り付けて用いられる。このタオル掛け具を、例えば、台所のシンクの前面側に取り付けて使用する場合、釘やビスなどを用いると、取り付け場所を移動したり、他の種類のタオル掛けを新たに取り付けたりする際に、釘やビスの孔が残ってしまい、見栄えが悪くなってしまうとともに、水の浸入により内部が腐食してしまう。そこで、シンクの前面側に取り付ける場合には、吸盤を用いて取り付けるタイプのタオル掛け具が用いられる。
【０００３】
しかし、この吸盤タイプの上記タオル掛け具は、好みの場所の平坦面に簡単に吸着させて取り付けることができる反面、タオルの重みやタオルを使用する際に外れてしまい、その都度取り付けなければならないという問題がある。また、使用環境によっては、吸盤の劣化が進行して、吸着能力が衰えてしまうという問題もある。
【０００４】
ところで、近年、台所に用いられるシンクにおいては、様々な機能や収納部が装備された、いわゆるシステムキッチンが所望され、趣向を凝らしたデザインのものが、一般家庭の台所においても広く使用されている。このシステムキッチンは、収納部の戸棚や抽斗を開閉する扉の取手にも、デザイン性が求められ、すっきりとしたデザインのライン取手などが用いられている。そのため、従来の吸盤タイプのタオル掛け具をシステムキッチンに取り付けると、折角のデザインの良さが損なわれてしまうことになる。
【０００５】
そこで、このシステムキッチンに備え付けの収納部の開閉扉に設けられている、ライン取手を利用した専用のタオル掛け具が、システムキッチンを製造する各メーカから販売されている。このタオル掛け具は、上記開閉扉の上縁部に延設された縦断面が略コ字状に形成されたライン取手に取り付けるもので、例えば、下記特許文献１において、上方に掛止具が設けられた収納部を有するキッチン台などの収納家具であって、前記掛止具は収納家具前面上部に設けたレール部にスライド自在に係止された掛止具を有するキッチン台などの収納家具が提案されている。
【０００６】
この従来のキッチン台などの上記収納家具の上記レール部に、スライド自在に係止された上記掛止具は、上記収納家具のデザインに合わせて製作されているため、美観を損なうことがないとともに、上記収納家具前面上部に設けられた上記レール部の形状に合わせて製作されているため、このレール部から脱落することなく、スライド自在に係止させることができるものである。
【０００７】
ところが、上記掛止具は、上記収納家具の上記レール部の形状に合わせて制作されているため、既存の収納家具に異なる形状のレール部が設けられていた場合、この掛止具を取り付けることが難しく、汎用性に乏しいという問題がある。また、上記掛止具は、限られた上記収納家具しか使用することが出来ないため製造コストが掛かり、単価が高くなってしまうという問題もある。
【先行技術文献】
【特許文献】
【０００８】
【特許文献１】特開２００６−２６２５１号公報
【発明の概要】
【発明が解決しようとする課題】
【０００９】
本発明は、かかる事情に鑑みてなされたもので、様々な形態のシステムキッチンなどに設けられたライン取手に対して、容易に取り付けることが可能な汎用性に優れたタオル掛け具を提供することを課題とするものである。
【課題を解決するための手段】
【００１０】
上記課題を解決するために、請求項１に記載の発明は、収納部の開閉扉の上縁部に水平方向に延設され、縦断面が前面に開口する略コ字状に形成されるとともに、内壁上部に手がかり部が形成されたライン取手に取り付けるタオル掛け具であって、一端部側にタオル掛け部材が回動自在に設けられた取付部材と、当該取付部材の他端部側から突出するとともに、上記ライン取手内の手がかり部に挿入されて上記ライン取手の内壁に当接される支持部材と、略コ字状に屈曲して形成され一端部が上記取付部材の上部に着脱自在に挿入されるとともに、中間部が上記開閉扉の上面を跨いで他端部が上記開閉扉の背面に当接されることにより、上記開閉扉を間に挟む掛止部材と、その掛止部材の上記一端部を上記取付部材に固定するカバー部材とを備えていることを特徴とするものである。
【００１１】
また、請求項２に記載の発明は、請求項１に記載の発明において、上記支持部材は、上記取付部材に着脱自在に設けられているとともに、上記取付部材の上記上部から下部側に向けてスライド可能に設けられ、かつ上記ライン取手の長手方向の離間した少なくとも２箇所の上記内壁に当接されることを特徴とするものである。
【００１２】
また、請求項３に記載の発明は、請求項１または２に記載の発明において、上記取付部材の上記上部には、上記掛止部材の上記一端部を着脱自在に挿入する孔部が、上記取付部材の上記一端部側と上記他端部側との間に間隔を置いて複数穿設されていることを特徴とするものである。
【発明の効果】
【００１３】
請求項１〜３に記載の本発明によれば、収納部の開閉扉の上縁部に水平方向に延設されたライン取手の手がかり部に、取付部材の他端部側から突出する支持部材を挿入して、上記ライン取手の内壁に当接させるとともに、掛止部材の一端部を当該取付部材の上部に挿入し、かつ当該掛止部材の中間部を上記ライン取手の上面に、また他端部を上記開閉扉の背面に当接させて上記開閉扉を間に挟み、さらに、カバー部材により上記掛止部材の上記一端部を固定して、上記取付部材を上記ライン取手に支持するため、既存のシステムキッチンなどに設けられた上記ライン取手が、縦断面が前面に開口する略コ字状に形成されているとともに、内壁上部に手がかり部が形成されて、収納部の開閉扉の上縁部の水平方向に延設されてる場合には、このライン取手に上記取付部材を簡便に支持させることができる。これにより、汎用性に優れたタオル掛け具を提供することができる。
【００１４】
請求項２に記載の発明によれば、上記支持部材が、上記取付部材に着脱自在に設けられているとともに、上記取付部材の上記上部から下部側に向けてスライド可能に設けられているため、上記ライン取手の上記上面と上記内壁上部の天井壁との厚さが区々であっても、上記支持部材が上下方向にスライドすることにより、異なる厚さの上記ライン取手に対応することができる。
【００１５】
また、上記開閉扉の上記上縁部の水平方向に、上記ライン取手が延設されていない場合でも、上記支持部材を取り外して、上記取付部材の上記他端部側を上記開閉扉の前面に当接させるとともに、略コ字状に屈曲して形成された上記掛止部材の上記一端部を上記取付部材の上記上部に挿入し、かつ上記掛止部材の上記中間部を上記開閉扉の上記上縁部に、また上記掛止部材の上記他端部を上記開閉扉の上記背面に当接させることにより、上記取付部材を支持することができる。この結果、上記ライン取手が設けられていない収納部の開閉扉でも、タオル掛け具を容易に取り付けることができる。
【００１６】
さらに、上記支持部材が、上記ライン取手の長手方向の離間した少なくとも２箇所の上記内壁に当接するため、上記掛止部材の上記一端部を上記取付部材の上記上部に挿入した後に、上記カバー部材により上記掛止部材の上記一端部を固定することにより、上記取付部材を上記ライン取手に確実に係止させて、上記ライン取手からの脱落を防止することができる。
【００１７】
請求項３に記載の発明によれば、上記取付部材の上記上部に、上記掛止部材の上記一端部を着脱自在に挿入する孔部が、上記取付部材の上記一端部側と上記他端部側との間に間隔を置いて複数穿設されているため、上記開閉扉の厚さ寸法が、大きい場合でも、また小さい場合でも、適宜その厚さ寸法に合わせて調整して、上記ライン取手に上記取付部材を容易に支持させることができる。これにより、さらに汎用範囲を拡大させることができる。
【図面の簡単な説明】
【００１８】
【図１】本発明のタオル掛け具の一実施形態を示し、（ａ）は平面図、（ｂ）は正面図、（ｃ）は右側面図、（ｄ）は（ｂ）のＡ−Ａ断面図である。
【図２】本発明のタオル掛け具の取り付け状態を示し、（ａ）はライン取手に取り付けた状態を示す右側面図、（ｂ）はライン取手の無い開閉扉に取り付けた状態を示す右側面である。
【図３】本発明のタオル掛け具の取付部材と支持部材を示し、（ａ）は取付部材に支持部材を取り付け方法の斜視図、（ｂ）は取付部材に支持部材を取り付けた状態を示す平面図である。
【図４】（ａ）〜（ｄ）は、本発明のタオル掛け具をライン取手に取り付ける方法を示す斜視図である。
【発明を実施するための形態】
【００１９】
図１および図２（ａ）に示すように、本発明の一実施形態のタオル掛け具１は、一端部２ａ側にタオル掛け部材６が回動自在に設けられた取付部材２と、この取付部材２の他端部２ｂ側から突出するとともに、ライン取手７内の手がかり部７ａに挿入されて、ライン取手７の内壁に当接される支持部材３と、略コ字状に屈曲して形成され、一端部４ａが取付部材２の上部に着脱自在に挿入されるとともに、中間部４ｃが開閉扉８の上面を跨いで他端部４ｂが開閉扉８の背面８ｂに当接されることにより、開閉扉８を間に挟む掛止部材４と、その掛止部材４の一端部４ａを取付部材２に固定するカバー部材５とを備えて概略構成されている。
【００２０】
ここで、ライン取手７は、例えば、台所に据え付けのシステムキッチンに備えられている、戸棚や抽斗など収納部の開閉扉８の上縁部８ａに水平方向に延設され、縦断面が開閉扉８の前面８ｃに開口する略コ字状に形成されているとともに、内壁上部に手がかり部７ａが形成されている。
【００２１】
また、取付部材２は、立方体状に形成され、平面視において長方形に形成されている。この取付部材２の平面視における長手方向の両側面であって、短手方向の一端部２ａ側近傍には、タオル掛け部材６が回動自在に設けられている。また、取付部材２は、上記短手方向の一端部２ａ側の端面がＲ状に形成されている。このタオル掛け部材６は、合成樹脂製のパイプにより形成されているとともに、屈曲された角環状に形成されている。
【００２２】
一方、取付部材２の他端部２ｂ側の端面には、溝部２ｄが形成されている。この溝部２ｄは、他端部２ｂ側の端面の長手方向の２箇所に離間して形成されているとともに、取付部材２の上部から下部近傍まで延設され、かつ平面視においてＬ字状に形成されている。そして、この溝部２ｄに、支持部材３の突起部３ｂを挿入することにより、支持部材３が取付部材２の他端部２ｂ側に突出させることができるとともに、支持部材３が上下方向にスライド可能に係合させることができる。
【００２３】
さらに、取付部材２の中央には、掛止部材４の一端部４ａを着脱自在に挿入する孔部２ｃが形成されている。この孔部２ｃは、掛止部材４の板厚寸法より若干大きく形成されているとともに、掛止部材４の一端部４ａの幅寸法より若干大きく形成されている。また、孔部２ｃは、取付部材２の一端部２ａと他端部２ｂとの間に間隔を置いて、複数（図では５つ）が並列に穿設されている。
【００２４】
また、支持部材３は、合成樹脂により形成されているとともに、ライン取手７の手がかり部７ａに挿入される当接部３ａが設けられている。この当接部３ａは、離間した位置に各々設けられているとともに、側面視において略角状に形成されている。また、当接部３ａは、ライン取手７の内壁上部の立壁７ｃと天井壁７ｄとに連続する角隅部にあたる角部が斜めにカットされて形成されている。さらに、当接部３ａの各々の背面には、突起部３ｂが突出して一体成形されている。この突起部３ｂは、平面視においてＬ字状をなして形成されている。
【００２５】
そして、掛止部材４は、合成樹脂製の板部材が略コ字状に屈曲されることにより形成されている。この掛止部材４は、他端部４ｂを開閉扉８の背面４ｂに当接させるため、取付部材２の上部に着脱自在に挿入する一端部４ａよりも、長い長さ寸法に形成されている。また、掛止部材４の中間部４ｃは、ライン取手７の上面７ｂを跨ぎ、取付部材２の他端部２ｂと掛止部材４の他端部４ｂとの間に開閉扉８を挟むため、平均的な開閉扉８の板厚寸法の略２倍の長さ寸法に形成されている。
【００２６】
さらに、カバー部材５は、合成樹脂により形成されているとともに、側面視において略Ｕ字状に形成されている。このカバー部材５は、取付部材２の一端部２ａ側から嵌め込まれて、取付部材２の上面と下面とを囲繞して嵌合されるように構成されている。
【００２７】
以上の構成によるタオル掛け具１を用いて、例えば、システムキッチンに備え付けられた収納部の開閉扉８の、上縁部８ａの水平方向に延設されたライン取手７に取り付ける場合には、まず、図３（ａ）に示すように、取付部材２の他端部２ｂ側に形成されている溝部２ｄの上部から、支持部材３の突起部３ｂを挿入する。この際に、取付部材２の他端部２ｂ側に形成されている溝部２ｄおよび支持部材３の突起部３ｂは、各々Ｌ字状に形成されているため、取付部材２の他端部２ｂの端面から外方に抜け出すことなく、上下方向にスライド自在に係合させることができる。
【００２８】
次いで、図４（ａ）に示すように、取付部材２に係合された支持部材３の各々の当接部３ａを、ライン取手７の手がかり部７ａに挿入するとともに、支持部材３の各々の当接部３ａを内壁の立壁７ｃおよび天井壁７ｄに当接させる。そして、図４（ｂ）に示すように、掛止部材４の一端部４ａを、取付部材２の中央に穿設された孔部２ｃに挿入する。この際に、掛止部材４の一端部４ａを挿入する取付部材２の複数の孔部２ｃから、開閉扉８の板厚寸法に合わせて、適宜選んで孔部２ｃに挿入する。
【００２９】
そして、図４（ｃ）に示すように、掛止部材４の中間部４ｃが、ライン取手７の上面７ｂに当接されるとともに、掛止部材４の他端部４ｂが開閉扉８の背面８ｂに当接されて、掛止部材４を開閉扉８に係合される。これにより、支持部材３の各々の当接部３ａがライン取手７の内壁の立壁７ｃおよび天井壁７ｄに固定される。
【００３０】
次に、図４（ｄ）に示すように、取付部材２の一端部２ａ側から、カバー部材５の開口側を嵌め込ませて、取付部材２の上面と下面とを囲繞するとともに、カバー部材５を取付部材２に嵌合させる。これにより、取付部材２の孔部２ｃに着脱自在に挿入されていた上記掛止部材の一端部４ａが固定される。この際に、ライン取手７の内壁上部の天井壁７ｄの厚さ寸法によって、支持部材３は上下方向にスライドするため、異なる厚さ寸法のライン取手７であっても対応することができる。
【００３１】
そして、図２（ａ）に示すように、支持部材３の当接部３ａがライン取手７の内壁上部の立壁７ｃおよび天井壁７ｄに係止されて、取付部材２がライン取手７に支持される。この際に、支持部材３の各々の当接部３ａが、離間した位置に配設されているため、確実にライン取手７の内壁上部に係止される。
これによって、タオル掛け部材６にタオルを掛けても、取付部材２がライン取手７から離脱することなく支持されることになる。
【００３２】
また、ライン取手７が、開閉扉８の上縁部８ａの水平方向に延設されていない場合には、図２（ｂ）に示すように、取付部材２に支持部材３を係合させずに、取付部材２の他端部２ｂ側を開閉扉８の前面８ｃに当接させるとともに、開閉扉８の板厚寸法を考慮しながら、掛止部材４の一端部４ａを取付部材２の複数穿設された孔部２ｃの何れかに挿入させる。
【００３３】
そして、取付部材２の一端部２ａ側から、カバー部材５を嵌め合わせて、取付部材２の上面と下面とを囲繞するとともに、カバー部材５を取付部材２に嵌合させる。これにより、取付部材２が開閉扉８に支持されて、タオル掛け部材６にタオルを掛けても、取付部材２が開閉扉８から離脱することなく支持されることになる。
【００３４】
上述の実施形態によるタオル掛け具１によれば、収納部の開閉扉８の水平方向に延設されたライン取手７の手がかり部７ａに、取付部材２の他端部２ｂ側から突出する支持部材３を挿入して、ライン取手７の内装に当接させるとともに、掛止部材４の一端部４ａを取付部材２の孔部２ｃに挿入し、かつ掛止部材４の中間部４ｃをライン取手７の上面７ｂに、また他端部４ｂを開閉扉８の背面８ｂに当接されて開閉扉８を間に挟み、さらに、カバー部材５により掛止部材４の一端部４ａを固定して、取付部材２をライン取手７に支持するため、既存のシステムキッチンなどに設けられたライン取手７が、縦断面が前面に開口する略コ字状に形成されているとともに、内壁上部に手がかり部７ａが形成されて、収納部の開閉扉８の上縁部８ａの水平方向に延設されてる場合には、このライン取手７に取付部材２を簡便に支持させることができる。これにより、汎用性に優れたタオル掛け具１を提供することができる。
【００３５】
また、支持部材３が、取付部材２に着脱自在に設けられているとともに、取付部材２の上部から下部側に向けてスライド可能に設けられているため、ライン取手７の上面７ｂと内壁上部の天井壁７ｄとの厚さが区々であっても、支持部材３が上下方向にスライドすることにより、異なる厚さのライン取手７に対応することができる。
【００３６】
そして、開閉扉８の上縁部８ａの水平方向に、ライン取手７が延設されていない場合でも、支持部材３を取付部材２から取り外して、取付部材２の他端部２ｂ側を開閉扉８の前面８ｃに当接させるとともに、略コ字状に屈曲して形成された掛止部材４の一端部４ａを取付部材２の孔部２ｃに挿入し、かつ掛止部材４の中間部４ｃを開閉扉８の上縁部８ａに、また他端部４ｂを開閉扉８の背面８ｂに当接されることにより、取付部材２を支持することができる。この結果、ライン取手７が設けられていない収納部の開閉扉８でも、タオル掛け具１を容易に取り付けることができる。
【００３７】
さらに、支持部材３が、ライン取手７の長手方向の離間した少なくとも２箇所の立壁７ｃおよび天井壁７ｄに当接するため、掛止部材４の一端部４ａを取付部材２の孔部２ｃに挿入した後に、カバー部材５により掛止部材４の一端部４ａを固定することにより、取付部材２をライン取手７に確実に係止させて、ライン取手７からの脱落を防止することができる。
【００３８】
また、取付部材２の中央に、掛止部材４の一端部４ａを着脱自在に挿入する孔部２ｃが、取付部材２の一端部２ａ側と他端部２ｂ側との間に、間隔を置いて複数穿設されているため、開閉扉８の厚さ寸法が、大きい場合でも、また小さい場合でも、適宜その厚さ寸法に合わせて調整して、ライン取手７に取付部材２を容易に支持させることができる。これにより、さらに汎用範囲を拡大させることができる。
【００３９】
なお、上記実施の形態において、取付部材２と支持部材３とが着脱自在に設けられている場合のみ説明したが、これに限定されるものでなく、例えば、取付部材２の他端部２ｂ側に、一体成形により支持部材３が突出して設けられていても対応可能である。
【産業上の利用可能性】
【００４０】
収納棚の上縁部に延設されたライン取手に利用することができる。
【符号の説明】
【００４１】
１  タオル掛け具
２  取付部材
２ａ  一端部  
２ｂ  他端部
３  支持部材
４  掛止部材
４ａ  一端部
４ｂ  他端部
４ｃ  中間部
５  カバー部材
６  タオル掛け部材
７  ライン取手
７ａ  手がかり部
７ｂ  上面
７ｃ  立壁
７ｄ  天井壁
８  開閉扉
８ａ  上縁部
８ｂ  背面
【図１】
0005691888.tif 000002
【図２】
0005691888.tif 000003
【図３】
0005691888.tif 000004
【図４】
0005691888.tif 000005